(57)【特許請求の範囲】
【請求項１】
コネクタ本体から突出する端子部が対象となる機器に挿入されて前記機器に接続された中継コネクタから、ケーブルの先端に取り付けられたプラグ本体の端面から突出する電極部が前記コネクタ本体に挿入された接続プラグを引き抜くためのコネクタ引抜具であって、コネクタ本体とプラグ本体との間に介挿可能に先細りに形成されたくさび部を有する押込体と、前記接続プラグの前記プラグ本体を覆うカバーとを備え、前記接続プラグは、前記カバー内で移動可能になっていることを特徴とするコネクタ引抜具。
【請求項２】
前記カバーは、前記プラグ本体の前記端面と対向し、且つ、前記プラグ本体から突出する電極部が挿通される対向壁部を有し、前記押込体は、前記対向壁部と前記プラグ本体の前記端面との間に、前記くさび部が介挿可能に設けられていることを特徴とする請求項１に記載のコネクタ引抜具。
【請求項３】
前記くさび部は、前記中継コネクタのコネクタ本体側の面が、前記対向壁部に沿った平面で形成され、前記接続プラグのプラグ本体側の面が前記平面の端部を支点として該平面と離間する傾斜面で形成されていることを特徴とする請求項２に記載のコネクタ引抜具。
【発明の詳細な説明】
【技術分野】
【０００１】
本発明は、保守点検の対象となる通信装置や電力設備等の機器に対して引き抜き可能に接続された中継コネクタから、ケーブルの先端に取り付けられた接続プラグを引き抜くためのコネクタ引抜具に関する。
【背景技術】
【０００２】
通信装置や電力設備等の機器の保守点検を行うに際し、測定機器等のケーブルの先端に取り付けられた接続プラグを対象となる機器に接続することがある。この場合、機器と接続プラグとの接続には、機器に対して抜き挿し可能なＵリンクプラグ等の中継コネクタ（以下、Ｕリンクという）が使用されることがある（特許文献１参照）。
【０００３】
ところで、作業者は、保守点検を行う際、測定機器等を片方の手で担持した状態で、もう片方の手で、機器に接続されたＵリンクに対して接続プラグを抜き挿ししている。すなわち、作業者は、機器に接続されたＵリンクと該Ｕリンクに接続された接続プラグとの接続及び解除において、常に片手が塞がっている状態で、作業を行わなければならない。
【先行技術文献】
【特許文献】
【０００４】
【特許文献１】特開２００６−２５３００６号公報
【発明の概要】
【発明が解決しようとする課題】
【０００５】
そのため、接続プラグの引き抜き時に、接続プラグと共にＵリンクが誤って機器から引き抜かれ、機器内部の回路（通信回路、制御回路等）が遮断されてしまうことがある。すなわち、機器の保守点検は、機器の稼動中に行われるため、機器に接続されたＵリンクが抜けてしまうと、稼動状態の機器の通信が遮断されたり、通信回線の誤作動等が生じたりする虞がある。
【０００６】
そこで、本発明は、斯かる実情に鑑み、対象となる機器に中継コネクタを接続させた状態を維持させつつ該中継コネクタから接続プラグを片手で引き抜くことのできるコネクタ引抜具を提供することを課題とする。
【課題を解決するための手段】
【０００７】
本発明に係るコネクタ引抜具は、コネクタ本体から突出する端子部が対象となる機器に挿入されて前記機器に接続された中継コネクタから、ケーブルの先端に取り付けられたプラグ本体の端面から突出する電極部が前記コネクタ本体に挿入された接続プラグを引き抜くためのコネクタ引抜具であって、コネクタ本体とプラグ本体との間に介挿可能に先細りに形成されたくさび部を有する押込体と、前記接続プラグの前記プラグ本体を覆うカバーとを備え、前記接続プラグは、前記カバー内で移動可能になっていることを特徴とする。
【０００８】
上記構成のコネクタ引抜具によれば、対象となる機器に接続された中継コネクタから接続プラグを引き抜く場合、作業者は、くさび部の基端側（先細りした先端とは反対側の端部）をくさび部の延びる方向に親指等で押圧し、くさび部をコネクタ本体とプラグ本体との間に押し込む。すると、押込体に対する押圧力によって、くさび部とコネクタ本体との間、及びくさび部とプラグ本体との間に面圧が生じ、中継コネクタが対象となる機器側に押圧されるとともに、接続プラグが中継コネクタから離反方向に押圧される。これにより、くさび部が押し込まれるにつれて中継コネクタと接続プラグとの間隔が広がり、コネクタ本体から接続プラグの電極部が引き抜かれる。このため、上記構成のコネクタ引抜具は、中継コネクタを対象となる機器から誤脱落させることなく、対象となる機器に中継コネクタを接続させた状態で該中継コネクタから接続プラグを引き抜くことができる。
【０００９】
また、本発明に係るコネクタ引抜具において、前記カバーは、前記プラグ本体の前記端面と対向し、且つ、前記プラグ本体から突出する電極部が挿通される対向壁部を有し、前記押込体は、前記対向壁部と前記プラグ本体の前記端面との間に、前記くさび部が介挿可能に設けられていることが好ましい。
【００１０】
このようにすれば、作業者が接続プラグのプラグ本体を覆うカバーを片手で把持しつつ
同じ手の親指でくさび部の基端側を押圧し、くさび部をカバーの対向壁部とプラグ本体との間に押し込む。すると、押込体の押圧力は、カバーの対向壁部を介して中継コネクタ側に間接的に作用するとともに、接続プラグ側に直接的に作用する。これによって、接続プラグがカバー内で自由に移動して、中継コネクタ側から離間することになる。このように、プラグ本体を覆うカバーを設けることで、接続プラグの移動がしやすくなる。従って、上記構成のコネクタ引抜具は、中継コネクタを対象となる機器から誤脱落させることなく、対象となる機器に中継コネクタを接続させた状態で該中継コネクタから接続プラグをより引き抜きやすくすることができる。
【００１１】
また、この場合には、前記くさび部は、前記中継コネクタのコネクタ本体側の面が、前記対向壁部に沿った平面で形成され、前記接続プラグのプラグ本体側の面が前記平面の端部を支点として該平面と離間する傾斜面で形成されていることが好ましい。
【００１２】
上記構成のコネクタ引抜具によれば、作業者がくさび部をカバーの対向壁部とプラグ本体との間に押し込み、くさび部の平面が対向壁部に沿って移動した時に、くさび部の傾斜面が、接続プラグを中継コネクタから離反方向に押圧する。これにより、くさび部が押し込まれるにつれて中継コネクタと接続プラグとの間隔がさらに広がりやすくなり、中継コネクタを対象となる機器から誤脱落させることなく、対象となる機器に中継コネクタを接続させた状態で該中継コネクタから接続プラグをより確実に引き抜くことができる。
【発明の効果】
【００１３】
以上のように、本発明のコネクタ引抜具によれば、対象となる機器に中継コネクタを接続させた状態を維持させつつ該中継コネクタから接続プラグを片手で引き抜くことができるといった優れた効果を奏し得る。
【図面の簡単な説明】
【００１４】
【図１】本発明の一実施形態に係るコネクタ引抜具を取り付けた接続プラグを中継コネクタに接続した状態を示す側面図であって、コネクタ引抜具を断面で示した図である。
【図２】同実施形態に係るコネクタ引抜具を取り付けた接続プラグを中継コネクタに接続した状態を示す正面図であって、コネクタ引抜具を断面で示した図である。
【図３】同実施形態に係るコネクタ引抜具を用いて中継コネクタから接続プラグ引き抜く過程を説明する図である。
【図４】本発明の他の実施形態に係るくさび部の概略図であり、（ａ）は、くさび部の中継コネクタのコネクタ本体側の面が、カバーの対向壁部に沿った平面で形成され、くさび部の接続プラグのプラグ本体側の面が、前記平面の端部を支点として該平面と離間する傾斜面で形成された図であり、（ｂ）は、くさび部の中継コネクタのコネクタ本体側の面が、カバーの対向壁部に沿った平面で形成され、くさび部の接続プラグのプラグ本体側の面が凸状の曲面で形成された図であり、（ｃ）は、くさび部の中継コネクタ側の面及び接続プラグ側の面が共に、凹状の曲面に形成された図である。
【発明を実施するための形態】
【００１５】
以下、本発明の一実施形態に係るコネクタ引抜具について、添付図面を参照しつつ説明する。
【００１６】
本実施形態に係るコネクタ引抜具は、保守点検の対象となる通信装置や電力設備等の機器に対して引き抜き可能に接続された中継コネクタとしてのＵリンクから、ケーブルの先端に取り付けられた接続プラグを引き抜くためのものである。より具体的には、コネクタ本体から突出する端子部が対象となる機器に挿入されて該機器に接続された中継コネクタとしてのＵリンクから、ケーブルの先端に取り付けられたプラグ本体の端面から突出する電極部がコネクタ本体に挿入された接続プラグを引き抜くためのものである。なお、本実施形態においては、Ｕリンクの端子部の差し込みによって接続される対象となる機器を「通信装置」とし、接続プラグを介してＵリンクに接続される機器を「測定機器」という。
【００１７】
図１及び図２に示すように、接続プラグ１０は、ケーブル１１の先端に取り付けられたプラグ本体１０ａと、該プラグ本体１０ａの一端側の端面１０ｂから突出する一対の電極部１０ｃ，１０ｃとを備える。プラグ本体１０ａの他端側の面１０ｄには、測定機器に接続されたケーブル１１を挿入するための開口（図示せず）が形成されている。そして、接続プラグ１０は、プラグ本体１０ａ内において、一対の電極部１０ｃ，１０ｃと通電可能な接続部（採番しない）が内装されており、開口に挿入されたケーブル１１と一対の電極部１０ｃ，１０ｃとが、電気的に接続されている。
【００１８】
Ｕリンク２０は、通信装置の測定に用いられる中継コネクタであり、通信装置に抜き挿し可能な端子部２０ａと、該端子部２０ａを支持するコネクタ本体２０ｃとを備える。端子部２０ａは、コネクタ本体２０ｃの一端側の端面２０ｂから突出している。コネクタ本体２０ｃの他端側の端面２０ｄには、接続プラグ１０の電極部１０ｃが抜き挿しされる差込口（図示せず）が形成されている。そして、コネクタ本体２０ｃの両端面２０ｂ，２０ｄは共に平面で形成されており、本実施形態では、両端面２０ｂ，２０ｃが略平行となるように形成されている。そして、Ｕリンク２０は、コネクタ本体２０ｃ内において、端子部２０ａと通電可能な接続部（採番しない）が内装されており、差込口に差し込まれた接続プラグ１０の電極部１０ｃ、１０ｃと一対の電極部１０ｃ，１０ｃとが、電気的に接続されている。
【００１９】
Ｕリンク２０は、通信装置に設けられた差込口に端子部２０ａを挿入することで、該通信装置に電気的に接続される。すなわち、通信装置は、差込口からＵリンク２０及び接続プラグ１０を介して、測定機器に電気的に接続されるようになっている。
【００２０】
本実施形態に係るコネクタ引抜具３０は、図１に示すように、コネクタ本体２０ｃとプラグ本体１０ａとの間に介挿可能に先細りに形成されたくさび部３０ａ１を有する押込体３０ａを備えている。また、本実施形態においては、押込体３０ａは、くさび部３０ａ１の基端に設けられた押圧部３０ａ２をさらに備える。
【００２１】
本実施形態においては、くさび部３０ａ１は、Ｕリンク２０のコネクタ本体２０ｃ側の面が、後述するカバー３０ｃの対向壁部３０ｂに沿った平面で形成され、接続プラグ１０のプラグ本体１０ａ側の面が前記平面の端部を支点として該平面と離間する傾斜面で形成されている。より具体的には、くさび部３０ａ１は、Ｕリンク２０のコネクタ本体２０ｃ側の面が後述するカバー３０ｃの対向壁部３０ｂに沿った平面で形成されているとともに、接続プラグ１０のプラグ本体１０ａ側の面が前記平面の端部を支点として該平面と離間する傾斜面と、該傾斜面の基端に連続する曲面とで形成されている。
【００２２】
本実施形態においては、押込体３０ａのくさび部３０ａ１は、図２に示すように、接続プラグ１０の電極部１０ｃ，１０ｃ間に介装されるように形成されている。
【００２３】
また、本実施形態に係るコネクタ引抜具３０は、接続プラグ１０のプラグ本体１０ａを覆うカバー３０ｃを備えている。該カバー３０ｃは、接続プラグ１０のプラグ本体１０ａの一端側の端面１０ｂと対向し、且つ、プラグ本体１０ａから突出する電極部１０ｃが挿通される対向壁部３０ｂ１を有している。これに伴い、押込体３０ａは、該対向壁部３０ｂとプラグ本体１０ａの一端側の端面１０ｂとの間に、くさび部３０ａ１が介挿可能に設けられている。
【００２４】
具体的に言うと、カバー３０ｃは、筒状の外周壁部３０ｃ１と、該外周壁部３０ｃ１の両端に形成された一対の対向壁部３０ｂ１，３０ｂ２とを備える。一対の対向壁部３０ｂ１，３０ｂ２は共に平面で形成されている。従って、くさび部３０ａ１のコネクタ本体２０ｃ側の面と、カバー３０ｃの対向壁部３０ｂとが、平面で対向することになる。本実施形態に係るコネクタ引抜具３０は、作業者がくさび部３０ａ１をカバー３０ｃの対向壁部３０ｂとプラグ本体１０ａとの間に押し込み、くさび部３０ａ１の平面が対向壁部３０ｂに沿って移動した時に、くさび部３０ａ１の両端側が、カバー３０ｃの外周壁部３０ｃ１によってガイドされるようになっている。すなわち、くさび部３０ａ１の平面が対向壁部３０ｂに沿って下向き（図３中の矢印Ａ方向）に移動した時に、くさび部３０ａ１が移動経路を外れないようにカバー３０ｃの外周壁部３０ｃ１によってガイドされて移動するように構成されている。くさび部３０ａ１をカバー３０ｃの外周壁部３０ｃ１によってガイドするための具体的な構成として、例えば、カバー３０ｃの外周壁部３０ｃ１内面にレールを設け、くさび部３０ａ１にレールに案内される非案内部を設けることが挙げられる。
【００２５】
カバー３０ｃの一端側の対向壁部３０ｂ１には、接続プラグ１０の電極部１０ｃを挿通可能な差込口３０ｄが形成されているとともに、カバー３０ｃの他端側の対向壁部３０ｂ２には、接続プラグ１０及びケーブル１１を挿通可能な挿通口３０ｅが形成されている。また、カバー３０ｃの外周壁部３０ｃ１の一端側には、くさび部３０ａ１を挿通させる挿通用開口３１が形成されているとともに、カバー３０ｃの外周壁部３０ｃ１の他端側には、挿通用開口３１と対向する位置に、くさび部３０ａ１がカバー３０ｃの対向壁部３０ｂに沿って下向きに移動されたときに、くさび部３０ａ１の先端を逃がす（干渉防止する）ための逃がし穴３２が形成されている。
【００２６】
本実施形態に係るコネクタ引抜具３０の構成についての説明は以上の通りであり、次に、本実施形態に係るコネクタ引抜具３０を用いたＵリンク２０に対する接続プラグ１０の抜き挿し作業について説明する。
【００２７】
まず、Ｕリンク２０に接続プラグ１０を接続する前に、予めコネクタ引抜具３０を接続プラグ１０に取り付ける。具体的には、コネクタ引抜具３０のカバー３０ｃに、該カバー３０ｃの他端側の対向壁部３０ｂ２に形成された挿通口３０ｅから接続プラグ１０のプラグ本体１０ａを挿入し、コネクタ引抜具３０のカバー３０ｃの一端側の対向壁部３０ｂ１に形成された差込口３０ｄに接続プラグ１０の電極部１０ｃ，１０ｃを挿入して、押込体３０ａのくさび部３０ａ１のＵリンク２０側の面をカバー３０ｃの一端側の対向壁部３０ｂ１に当接させることで、コネクタ引抜具３０のカバー３０ｃを接続プラグ１０に外装する。
【００２８】
そして、コネクタ引抜具３０を取り付けた接続プラグ１０をＵリンク２０に接続する。具体的には、コネクタ引抜具３０のカバー３０ｃを把持し、接続プラグ１０とケーブル１１とをＵリンク２０側に押して、接続プラグ１０の一対の電極部１０ｃ，１０ｃをコネクタ本体２０ｃの他端側の端面２０ｄに形成された差込口に挿入しつつ、コネクタ本体２０ｃの他端側の端面２０ｄに向けてコネクタ引抜具３０のカバー３０ｃを押圧し、カバー３０ｃの一端側の対向壁部３０ｂ１をコネクタ本体２０ｃの他端側の端面２０ｄに当接させる。すると、一対の電極部１０ｃ，１０ｃとＵリンク２０のコネクタ本体２０ｃの他端側の端面２０ｄに形成された差込口とが接続され、対向壁部３０ｂ１がコネクタ本体２０ｃとプラグ本体１０ａとに挟まれることによって、Ｕリンク２０と接続プラグ１０との接続が確実になる。
【００２９】
これに対し、Ｕリンク２０から接続プラグ１０を引き抜く場合には、図３に示すように、作業者が接続プラグ１０のプラグ本体１０ａを覆うコネクタ引抜具３０のカバー３０ｃを片手で把持しつつ、同じ手の親指で押込体３０ａの押圧部３０ａ２を、くさび部３０ａ１の延びる方向に押圧し、くさび部３０ａ１をカバー３０ｃの対向壁部３０ｂ１とプラグ本体１０ａとの間に押し込む。より具体的には、くさび部３０ａ１をカバー３０ｃの一端側の対向壁部３０ｂ１に沿って下向き（図３中の矢印Ａ方向）に移動させる。
【００３０】
すると、押込体３０ａの押圧力は、カバー３０ｃの対向壁部３０ｂ１を介してＵリンク２０側に間接的に作用するとともに、接続プラグ１０側に直接的に作用し、押込体３０ａに対する押圧力によって、カバー３０ｃの一端側の対向壁部３０ｂ１とくさび部３０ａ１のＵリンク２０側の面との間、及びくさび部３０ａ１の接続プラグ１０側の面と接続プラグ１０のプラグ本体１０ａの一端側の端面１０ｂとの間に面圧が生じる。これによって、押圧部３０ａ２を押圧するでくさび部３０ａ１が押し込まれるにつれて、接続プラグ１０がカバー３０ｃ内で自由に移動して、Ｕリンク２０側から離間することになる。すなわち、押込体３０ａに対する押圧力によって、接続プラグ１０がＵリンク２０から離間する方向（図３中の矢印Ｂ方向）に移動する。従って、プラグ本体１０ａを覆うカバー３０ｃを設けることで、接続プラグ１０の移動がしやすくなる。
【００３１】
このような操作によって、接続プラグ１０が、Ｕリンク２０側から離間するようにカバー３０ｃ内のある位置まで移動すると、接続プラグ１０の一対の電極部１０ｃ，１０ｃと、Ｕリンク２０のコネクタ本体２０ｃの他端側の端面２０ｄに形成された差込口との接続が解除されるようになる。従って、上記構成のコネクタ引抜具３０は、Ｕリンク２０を通信装置から誤脱落させることなく、通信装置にＵリンク２０を接続させた状態で該Ｕリンク２０から接続プラグ１０を引き抜くことができる。
【００３２】
以上のように、本実施形態に係るコネクタ引抜具３０によれば、コネクタ本体２０ｃとプラグ本体１０ａとの間に介挿可能に先細りに形成されたくさび部３０ａ１及び該くさび部３０ａ１の基端に設けられた押圧部３０ａ２を有する押込体３０ａを備えているため、対象となる機器に接続された中継コネクタとしてのＵリンク２０から接続プラグ１０を引き抜く場合、作業者が、押込体３０ａの押圧部３０ａ２をくさび部３０ａ１の延びる方向に親指等で押圧し、くさび部３０ａ１をコネクタ本体２０ｃとプラグ本体１０ａとの間に押し込むことでＵリンク２０と接続プラグ１０との間隔が広がり、コネクタ本体２０ｃから接続プラグ１０が引き抜かれる。このため、上記構成のコネクタ引抜具３０は、Ｕリンク２０を対象となる機器から誤脱落させることなく、対象となる機器にＵリンク２０を接続させた状態で該Ｕリンク２０から接続プラグ１０を引き抜くことができる。
【００３３】
また、本実施形態に係るコネクタ引抜具３０においては、接続プラグ１０のプラグ本体１０ａを覆うカバー３０ｃを備えているため、作業者が接続プラグ１０のプラグ本体１０ａを覆うカバー３０ｃを片手で把持しつつ、同じ手の親指で押込体３０ａの押圧部３０ａ２をくさび部３０ａ１の延びる方向に押圧し、くさび部３０ａ１をカバー３０ｃの対向壁部３０ｂとプラグ本体１０ａとの間に押し込むと、接続プラグ１０がカバー３０ｃ内で自由に移動して、Ｕリンク２０側から離間することになる。従って、プラグ本体１０ａを覆うカバー３０ｃを設けることで、接続プラグ１０の移動がしやすくなり、作業性に優れたものとなる。
【００３４】
また、この場合には、くさび部３０ａ１は、Ｕリンク２０のコネクタ本体２０ｃ側の面が、対向壁部３０ｂに沿った平面で形成され、接続プラグ１０のプラグ本体１０ａ側の面が前記平面の端部を支点として該平面と離間する傾斜面で形成されているため、作業者が接続プラグ１０のプラグ本体１０ａを覆うカバー３０ｃを片手で把持しつつ、同じ手の親指で押込体３０ａの押圧部３０ａ２をくさび部３０ａ１の延びる方向に押圧し、くさび部３０ａ１をコネクタ本体２０ｃとプラグ本体１０ａとの間に押し込んだ場合、くさび部３０ａ１が押し込まれるにつれてＵリンク２０と接続プラグ１０との間隔がさらに広がりやすくなり、さらに作業性に優れたものとなる。
【００３５】
尚、本発明のコネクタ引抜具３０は、上記実施形態に限定されるものではなく、本発明の要旨を逸脱しない範囲において種々変更を行うことは勿論である。
【００３６】
上記実施形態において、押込体３０ａに、くさび部３０ａ１の基端に設けられた押圧部３０ａ２を備えるようにしたが、これに限定されず、くさび部３０ａ１のみで押込体３０ａを構成するようにしてもよい。
【００３７】
上記実施形態において、コネクタ引抜具３０にカバー３０ｃを設けたが、これに限定されず、コネクタ引抜具３０にカバー３０ｃを設けず、押込体３０ａのみでコネクタ引抜具３０を構成してもよい。
【００３８】
上記実施形態において、通信装置に接続されたＵリンク２０から接続プラグ１０を引き抜く場合、作業者は、押込体３０ａの押圧部３０ａ２をくさび部３０ａ１の延びる方向に押圧し、くさび部３０ａ１をコネクタ本体２０ｃとプラグ本体１０ａとの間に押し込む。
【００３９】
すると、押込体３０ａに対する押圧力によって、くさび部３０ａ１とコネクタ本体２０ｃとの間、及びくさび部３０ａ１とプラグ本体１０ａとの間の面圧が生じ、Ｕリンク２０が通信装置側に押圧されるとともに、接続プラグ１０がＵリンク２０から離反方向に押圧される。これにより、くさび部３０ａ１が押し込まれるにつれてＵリンク２０と接続プラグ１０とが移動して、両者間の間隔が広がることになる。
【００４０】
このような操作によって、上記構成のコネクタ引抜具３０は、Ｕリンク２０を通信装置から誤脱落させることなく、通信装置にＵリンク２０を接続させた状態で該Ｕリンク２０から接続プラグ１０を引き抜くことができる。
【００４１】
また、特に上記実施形態において言及しなかったが、接続プラグ１０とコネクタ引抜具３０とは、別体に形成されるものに限定されず、一体的に形成されてもよい。
【００４２】
上記実施形態においては、コネクタ引抜具３０の押込体３０ａのくさび部３０ａ１が、カバー３０ｃの一端側の対向壁部３０ｂ１に沿って形成されたが、これに限定されない。要は、Ｕリンク２０に接続された接続プラグ１０を引き抜く場合に、押込体３０ａのくさび部３０ａ１が先細りに形成され、Ｕリンク２０と接続プラグ１０との間に介挿可能に配置されればよい。
【００４３】
上記実施形態においては、くさび部３０ａ１は、Ｕリンク２０のコネクタ本体２０ｃ側の面が、平面状の傾斜面として形成され、接続プラグ１０のプラグ本体１０ａ側の面が、傾斜面の端部を支点として該傾斜面と離間する傾斜面と、該傾斜面の基端に連続する曲面とで形成されているが、これに限定されず、例えば、図４（ａ）に示すように、くさび部３０ａ１のＵリンク２０側の面及び接続プラグ１０側の面を傾斜面のみで形成したり、図４（ｂ）に示すように、Ｕリンク２０側の面及び接続プラグ１０側の面の少なくとも何れか一方の面を膨出させるように形成したり（図４（ｂ）では、接続プラグ１０側の面が膨出している）、図４（ｃ）に示すように、Ｕリンク２０側の面及び接続プラグ１０側の面を共に、曲面に形成したりしてもよい。
【００４４】
要は、くさび部３０ａ１は、Ｕリンク２０側の面と接続プラグ１０側の面との間隔が、先端から基端に向けて広くなるように形成されていればよい。
【００４５】
これにより、押圧部３０ａ２に対する押圧力によって、くさび部３０ａ１とコネクタ本体２０ｃとの間、及びくさび部３０ａ１とプラグ本体１０ａとの間の面圧が生じ、Ｕリンク２０が通信装置側に押圧されるとともに、接続プラグ１０がＵリンク２０から離反方向に押圧されて移動する。
【００４６】
上記実施形態においては、くさび部３０ａ１は、接続プラグ１０の電極部１０ｃ，１０ｃ間に介装されるように形成されているが、これに限定されず、例えば、くさび部３０ａ１は、電極部１０ｃ，１０ｃ間と電極部１０ｃ，１０ｃの両側とに形成されてもよく、また、電極部１０ｃ，１０ｃの両側のみに形成されてもよい。
【００４７】
要は、くさび部３０ａ１は、コネクタ本体２０ｃとプラグ本体１０ａのとの間に介挿可能であればよい。なお、くさび部３０ａ１は、押し込み時にコネクタ本体２０ｃとプラグ本体１０ａのとの間から外れないように、少なくとも一部が電極部１０ｃ，１０ｃ間に配置されることが好ましい。
【００４８】
上記実施形態においては、通信装置等の機器に接続されたＵリンク２０に、ケーブル１１に接続された接続プラグ１０を接続及び解除する場合の例を挙げたが、これに限定されず、本技術のコネクタ引抜具３０を、例えば、電力設備の接続構造における接続及び解除等に利用してもよい。すなわち、Ｕリンクを用いる各種の保守点検に用いればよい。
【符号の説明】
【００４９】
１０…接続プラグ、１０ａ…プラグ本体、１０ｂ…プラグ本体１０ａの一端側の端面、１０ｃ…電極部、１０ｄ…プラグ本体１０ａの他端側の面、１１…ケーブル、２０…Ｕリンク（中継コネクタ）、２０ａ…端子部、２０ｂ…コネクタ本体２０ｃの一端側の端面、２０ｃ…コネクタ本体、２０ｄ…コネクタ本体２０ｃの他端側の端面、３０…コネクタ引抜具、３０ａ…押込体、３０ａ１…くさび部、３０ａ２…押圧部、３０ｂ１，３０ｂ２…対向壁部、３０ｃ…カバー、３０ｃ１…外周壁部、３０ｄ…差込口、３０ｅ…挿通口、３１…挿通用開口、３２…逃がし穴、Ａ，Ｂ…矢印
【図１】
0005202659.tif 000002
【図２】
0005202659.tif 000003
【図３】
0005202659.tif 000004
【図４】
0005202659.tif 000005